(57)【要約】【課題】部屋をきれいにするとともに網戸の網の汚れを低減し、フィルタ部を簡単に交換することができ、網戸の網の掃除や換気フィルタの掃除の手間を軽減でき、ガラス戸をスライドするだけで簡単に着脱することができるスライド式ガラス戸サッシ用換気フィルタを提供する。【解決手段】スライド式ガラス戸サッシ用換気フィルタ１００は、フレーム部１１０とフィルタ部１２０とを備えている。フィルタ部が、不織布のフィルタ本体部分と、フィルタ本体部分の片側面の一部に設けられた粘着層部分とを有している。粘着層部分が、フレーム部に粘着して、フィルタ部が、フレーム部の内側に張られている。フレーム部の下側部分１１１が、スライド式ガラス戸サッシＳＳの下枠ＦＲ１と接触し、フレーム部の一方側部分１１２が、スライド式ガラス戸サッシのたて枠ＦＲ２と接触し、フレーム部の他方側部分１１３が、ガラス戸ＧＤのたて框ＧＤ１と接触して設置される。【選択図】図３
0003227779.tif 000002
【実用新案登録請求の範囲】
【請求項１】
フレーム部とフィルタ部とを備えたスライド式ガラス戸サッシ用換気フィルタであって、
前記フィルタ部が、不織布によってシート状に形成されたフィルタ本体部分と、前記フィルタ本体部分の片側面の一部において設けられた粘着層部分とを有し、
前記粘着層部分が、前記フレーム部に粘着して、前記フィルタ部が、前記フレーム部の内側に張られ、
前記フレーム部の下側部分が、スライド式ガラス戸サッシの下枠と接触し、
前記フレーム部の左右方向における一方側部分が、スライド式ガラス戸サッシのたて枠と接触し、
前記フレーム部の左右方向における他方側部分が、ガラス戸のたて框と接触してスライド式ガラス戸サッシ用換気フィルタが、スライド式ガラス戸サッシに設置される構成であることを特徴とするスライド式ガラス戸サッシ用換気フィルタ。
【請求項２】
前記フレーム部が、前記フレーム部の内側に組子を有し、
前記粘着層部分が、前記フィルタ本体部分の片側面における組子と対向する位置にも設けられ、
前記粘着層部分が、フレーム部の組子にも粘着してフィルタ部が、フレーム部の内側に張られている構成であることを特徴とする請求項１に記載のスライド式ガラス戸サッシ用換気フィルタ。
【請求項３】
前記フレーム部が、第１フレームと、第１フレームと鉛直方向にスライド自在に係合した第２フレームとを有し、
前記フィルタ部が、第１フレームの内側および第２フレームの内側にそれぞれ張られている構成であることを特徴とする請求項１または請求項２に記載のスライド式ガラス戸サッシ用換気フィルタ。
【考案の詳細な説明】
【技術分野】
【０００１】
本考案は、フレーム部とフィルタ部とを備えたスライド式ガラス戸サッシ用換気フィルタに関する。
【背景技術】
【０００２】
従来、内障子と、外障子と、網戸とを有した複合サッシの下枠構造が知られている（例えば、特許文献１）。
また、網戸の網が張られていない範囲にフィルタを有した網戸が知られている（例えば、特許文献２）。
【先行技術文献】
【特許文献】
【０００３】
【特許文献１】特開２００４−１２４４０６号公報
【特許文献２】特開２００４−１１３５３号公報
【考案の概要】
【考案が解決しようとする課題】
【０００４】
しかしながら、上述した従来の複合サッシの下枠構造は、内障子または外障子をスライドさせて窓を開け、網戸に風を通すと、空気中の粉塵が網戸の網に引っかかり、網戸の網が著しく汚れ、網戸の網の掃除の手間が大変であるという問題があった。
また、網戸の網の目より小さい粉塵や虫やウイルスが室外から網を通過して室内に入ってきてしまうという問題があった。
他方、上述した従来の網戸は、網が張られている範囲と、フィルタが張られている範囲とがそれぞれ別で重ならない構成であったため、網の範囲に風を通すと、従来の複合サッシの下枠構造の場合と同様、空気中の粉塵が網戸の網に引っかかり、網戸の網が著しく汚れ、網戸の網の掃除の手間が大変であるという問題があった。
また、フィルタが網戸に張られて固定されている構成であったため、フィルタが汚れた場合に交換する手間が大変であるという問題があった。
【０００５】
そこで、本考案は、前述したような従来技術の問題を解決するものであって、すなわち、本考案の目的は、部屋をきれいにするとともに網戸の網の汚れを低減し、フィルタ部を簡単に交換することができ、網戸の網の掃除や換気フィルタの掃除の手間を軽減でき、ガラス戸をスライドするだけで換気フィルタを簡単に着脱することができるスライド式ガラス戸サッシ用換気フィルタを提供することである。
【課題を解決するための手段】
【０００６】
本請求項１に係る考案は、フレーム部とフィルタ部とを備えたスライド式ガラス戸サッシ用換気フィルタであって、前記フィルタ部が、不織布によってシート状に形成されたフィルタ本体部分と、前記フィルタ本体部分の片側面の一部において設けられた粘着層部分とを有し、前記粘着層部分が、前記フレーム部に粘着して、前記フィルタ部が、前記フレーム部の内側に張られ、前記フレーム部の下側部分が、スライド式ガラス戸サッシの下枠と接触し、前記フレーム部の左右方向における一方側部分が、スライド式ガラス戸サッシのたて枠と接触し、前記フレーム部の左右方向における他方側部分が、ガラス戸のたて框と接触してスライド式ガラス戸サッシ用換気フィルタが、スライド式ガラス戸サッシに設置される構成であることにより、前述した課題を解決するものである。
【０００７】
本請求項２に係る考案は、請求項１に記載されたスライド式ガラス戸サッシ用換気フィルタの構成に加えて、前記フレーム部が、前記フレーム部の内側に組子を有し、前記粘着層部分が、前記フィルタ本体部分の片側面における組子と対向する位置にも設けられ、前記粘着層部分が、フレーム部の組子にも粘着してフィルタ部が、フレーム部の内側に張られている構成であることにより、前述した課題をさらに解決するものである。
【０００８】
本請求項３に係る考案は、請求項１または請求項２に記載されたスライド式ガラス戸サッシ用換気フィルタの構成に加えて、前記フレーム部が、第１フレームと、第１フレームと鉛直方向にスライド自在に係合した第２フレームとを有し、前記フィルタ部が、第１フレームの内側および第２フレームの内側にそれぞれ張られている構成であることにより、前述した課題をさらに解決するものである。
【考案の効果】
【０００９】
本考案のスライド式ガラス戸サッシ用換気フィルタは、フレーム部とフィルタ部とを備えていることにより、空気中の粉塵やウイルスを除去することができるばかりでなく、以下のような特有の効果を奏することができる。
【００１０】
本請求項１に係る考案のスライド式ガラス戸サッシ用換気フィルタによれば、ガラス戸を開けた範囲にスライド式ガラス戸サッシ用換気フィルタが位置して屋内外を出入りする空気中の粉塵やウイルスがスライド式ガラス戸サッシ用換気フィルタによって除去されるため、部屋をきれいにすることができるとともに網戸の網の汚れを低減することができる。
さらに、汚れたフィルタ部をフレーム部から剥がして新しいフィルタ部をフレーム部の内側に粘着させるだけでフィルタ部が張られるため、フィルタ部を簡単に交換することができ、網戸の網の掃除やスライド式ガラス戸サッシ用換気フィルタの掃除の手間を軽減できる。
また、スライド式ガラス戸サッシ用換気フィルタがガラス戸とスライド式ガラス戸サッシの枠とによって挟持されるため、ガラス戸をスライドするだけでスライド式ガラス戸サッシ用換気フィルタを簡単に着脱することができる。
さらに、スライド式ガラス戸サッシ用換気フィルタの設置位置が網戸の位置より室内側になるため、室内側からスライド式ガラス戸サッシ用換気フィルタを取り外す際にうっかり室外側へ倒してしまうことを回避することができる。
【００１１】
本請求項２に係る考案のスライド式ガラス戸サッシ用換気フィルタによれば、請求項１に係る考案が奏する効果に加えて、フィルタ部の中央部分がフレーム部の組子によって保持されるため、風が強い場合であってもフィルタ部のばたつきを防止して空気中から除去した粉塵やウイルスが再び舞ってしまうことを防止することができる。
さらに、スライド式ガラス戸サッシ用換気フィルタがガラス戸とスライド式ガラス戸サッシの枠とによって挟まれて外力を受けても組子が外力に対抗して変形しにくいため、スライド式ガラス戸サッシ用換気フィルタを外れにくくしてスライド式ガラス戸サッシ用換気フィルタの位置および姿勢を安定させることができる。
【００１２】
本請求項３に係る考案のスライド式ガラス戸サッシ用換気フィルタによれば、請求項１または請求項２に係る考案が奏する効果に加えて、第２フレームが第１フレームに対して鉛直方向にスライドするとフレーム部の全体の高さが変わるため、スライド式ガラス戸サッシの下枠と上枠との間の長さに合わせてガラス戸を開けた範囲にスライド式ガラス戸サッシ用換気フィルタを簡単にフィットさせることができる。
【図面の簡単な説明】
【００１３】
【図１】（Ａ）（Ｂ）は本考案の第１実施例であるスライド式ガラス戸サッシ用換気フィルタの一方の面を示す図および他方の面を示す図。
【図２】図１（Ａ）の符号２−２で視た断面図。
【図３】本考案の第１実施例であるスライド式ガラス戸サッシ用換気フィルタをスライド式ガラス戸サッシに取り付けた様子を示す図。
【図４】本考案の第２実施例であるスライド式ガラス戸サッシ用換気フィルタを示す図。
【考案を実施するための形態】
【００１４】
本考案のスライド式ガラス戸サッシ用換気フィルタは、フレーム部とフィルタ部とを備え、フィルタ部が、不織布によってシート状に形成されたフィルタ本体部分と、フィルタ本体部分の片側面の一部において設けられた粘着層部分とを有し、粘着層部分が、フレーム部に粘着して、フィルタ部が、フレーム部の内側に張られ、フレーム部の下側部分が、スライド式ガラス戸サッシの下枠と接触し、フレーム部の左右方向における一方側部分が、スライド式ガラス戸サッシのたて枠と接触し、フレーム部の左右方向における他方側部分が、ガラス戸のたて框と接触してスライド式ガラス戸サッシ用換気フィルタが、スライド式ガラス戸サッシに設置される構成であることにより、部屋をきれいにすることができるとともに網戸の網の汚れを低減することができ、フィルタ部を簡単に交換することができ、網戸の網の掃除やスライド式ガラス戸サッシ用換気フィルタの掃除の手間を軽減でき、ガラス戸をスライドするだけでスライド式ガラス戸サッシ用換気フィルタを簡単に着脱することができ、室内側からスライド式ガラス戸サッシ用換気フィルタを取り外す際にうっかり室外側へ倒してしまうことを回避することができるものであれば、その具体的な実施態様は、如何なるものであっても構わない。
【００１５】
例えば、フレーム部の素材は、プラスチックなどの樹脂でもよいし、アルミニウムなどの金属でもよい。
また、フィルタ部は、不織布によってシート状に形成されて通気性を有するものであれば如何なるものであっても構わない。
【実施例１】
【００１６】
以下に、本考案の第１実施例であるスライド式ガラス戸サッシ用換気フィルタ１００について、図１（Ａ）乃至図３に基づいて説明する。
ここで、図１（Ａ）は、本考案の第１実施例であるスライド式ガラス戸サッシ用換気フィルタ１００の一方の面を示す図であり、図１（Ｂ）は、本考案の第１実施例であるスライド式ガラス戸サッシ用換気フィルタ１００の他方の面を示す図であり、図２は、図１（Ａ）の符号２−２で視た断面図であり、図３は、本考案の第１実施例であるスライド式ガラス戸サッシ用換気フィルタ１００をスライド式ガラス戸サッシＳＳに取り付けた様子を室内側から視た図である。
【００１７】
本考案の第１実施例であるスライド式ガラス戸サッシ用換気フィルタ１００は、図１（Ａ）乃至図２に示すように、フレーム部１１０と、フィルタ部１２０とを備えている。
さらに、フィルタ部１２０が、不織布によってシート状に形成されたフィルタ本体部分１２１と、フィルタ本体部分１２１の片側面の一部において設けられた粘着層部分１２２とを有している。
そして、粘着層部分１２２が、フレーム部１１０に着脱自在に粘着して、フィルタ部１２０が、フレーム部１１０の内側（枠内）に張られている。
【００１８】
さらに、図３に示すように、フレーム部１１０の下側部分１１１が、スライド式ガラス戸サッシＳＳの枠ＦＲの下枠ＦＲ１と接触する。
また、フレーム部１１０の左右方向における一方側部分１１２が、スライド式ガラス戸サッシＳＳの枠ＦＲのたて枠ＦＲ２と接触する。
さらに、フレーム部１１０の左右方向における他方側部分１１３が、ガラス戸ＧＤのたて框ＧＤ１と接触して、スライド式ガラス戸サッシＳＳのたて枠ＦＲ２とガラス戸ＧＤのたて框ＧＤ１とに挟まれることによって、スライド式ガラス戸サッシ用換気フィルタ１００が、スライド式ガラス戸サッシＳＳに設置されるように構成されている。
【００１９】
これにより、ガラス戸ＧＤを開けた範囲にスライド式ガラス戸サッシ用換気フィルタ１００が位置して屋内外を出入りする空気中の粉塵やウイルスがスライド式ガラス戸サッシ用換気フィルタ１００によって除去される。
その結果、部屋をきれいにすることができるとともに網戸ＮＴの網の汚れを低減することができる。
さらに、汚れたフィルタ部１２０をフレーム部１１０から剥がして新しいフィルタ部１２０をフレーム部１１０の内側に粘着させるだけでフィルタ部１２０が張られる。
その結果、フィルタ部１２０を簡単に交換することができ、網戸ＮＴの網の掃除やスライド式ガラス戸サッシ用換気フィルタ１００の掃除の手間を軽減できる。
【００２０】
また、スライド式ガラス戸サッシ用換気フィルタ１００がガラス戸ＧＤとスライド式ガラス戸サッシＳＳの枠ＦＲとによって挟持される。
その結果、ガラス戸ＧＤをスライドするだけでスライド式ガラス戸サッシ用換気フィルタ１００を簡単に着脱することができる。
さらに、スライド式ガラス戸サッシ用換気フィルタ１００の設置位置が網戸ＮＴの位置より室内側になる。
その結果、室内側からスライド式ガラス戸サッシ用換気フィルタ１００を取り外す際にうっかり室外側へ倒してしまうことを回避することができる。
なお、図１（Ａ）に示す面、図１（Ｂ）に示す面のいずれを室内側にしてもよい。
【００２１】
さらに本実施例では、フレーム部１１０が、フレーム部１１０の内側に組子１１４を有している。
また、粘着層部分１２２が、フィルタ本体部分１２１の片側面における組子１１４と対向する位置にも設けられている。
そして、粘着層部分１２２が、フレーム部１１０の組子１１４にも粘着して、フィルタ部１２０が、フレーム部１１０の内側に張られているように構成されている。
【００２２】
これにより、フィルタ部１２０の中央部分がフレーム部１１０の組子１１４によって保持される。
その結果、風が強い場合であってもフィルタ部１２０のばたつきを防止して空気中から除去した粉塵やウイルスが再び舞ってしまうことを防止することができる。
さらに、スライド式ガラス戸サッシ用換気フィルタ１００がガラス戸ＧＤとスライド式ガラス戸サッシＳＳの枠ＦＲとによって挟まれて外力を受けても組子１１４が外力に対抗して変形しにくい。
その結果、スライド式ガラス戸サッシ用換気フィルタ１００を外れにくくしてスライド式ガラス戸サッシ用換気フィルタ１００の位置および姿勢を安定させることができる。
【００２３】
なお、フレーム部１１０の下側部分１１１において、スライド式ガラス戸サッシＳＳの下枠ＦＲ１のレールと係合する溝を形成してもよい。
これにより、スライド式ガラス戸サッシ用換気フィルタ１００が、スライド式ガラス戸サッシＳＳに設置された際、スライド式ガラス戸サッシ用換気フィルタ１００の姿勢・位置がより安定する。
また、フレーム部１１０の一方側部分１１２において、スライド式ガラス戸サッシＳＳのたて枠ＦＲ２の鉛直方向に延びた凸条と係合する溝を形成してもよい。
これにより、スライド式ガラス戸サッシ用換気フィルタ１００が、スライド式ガラス戸サッシＳＳに設置された際、スライド式ガラス戸サッシ用換気フィルタ１００の姿勢・位置がより一層安定する。
【００２４】
さらに、フレーム部１１０の他方側部分１１３において、ガラス戸ＧＤのたて框ＧＤ１の鉛直方向に延びた凹条と係合する凸条を形成してもよい。
これにより、スライド式ガラス戸サッシ用換気フィルタ１００が、スライド式ガラス戸サッシＳＳに設置された際、スライド式ガラス戸サッシ用換気フィルタ１００の姿勢・位置がより一層安定する。
また、フレーム部１１０の上側部分、下側部分１１１、一方側部分１１２および他方側部分１１３にスポンジ状テープを貼り付けた構成でもよい。
つまり、フレーム部１１０の外周にスポンジ状テープを貼り付けた構成でもよい。
これにより、スライド式ガラス戸サッシ用換気フィルタ１００とスライド式ガラス戸サッシＳＳとの間に生じる隙間がなくなる。
その結果、スライド式ガラス戸サッシ用換気フィルタ１００を介さない空気の出入りをなくして室内の汚れや網戸の網の汚れを低減できる。
さらに、スライド式ガラス戸サッシ用換気フィルタ１００の姿勢・位置が安定する。
【００２５】
このようにして得られた本考案の第１実施例であるスライド式ガラス戸サッシ用換気フィルタ１００は、フレーム部１１０とフィルタ部１２０とを備え、フィルタ部１２０が、不織布によってシート状に形成されたフィルタ本体部分１２１と、フィルタ本体部分１２１の片側面の一部において設けられた粘着層部分１２２とを有し、粘着層部分１２２が、フレーム部１１０に粘着して、フィルタ部１２０が、フレーム部１１０の内側に張られ、フレーム部１１０の下側部分１１１が、スライド式ガラス戸サッシＳＳの下枠ＦＲ１と接触し、フレーム部１１０の左右方向における一方側部分１１２が、スライド式ガラス戸サッシＳＳのたて枠ＦＲ２と接触し、フレーム部１１０の左右方向における他方側部分１１３が、ガラス戸ＧＤのたて框ＧＤ１と接触してスライド式ガラス戸サッシ用換気フィルタ１００が、スライド式ガラス戸サッシＳＳに設置される構成であることにより、部屋をきれいにすることができるとともに網戸ＮＴの網の汚れを低減することができ、フィルタ部１２０を簡単に交換することができ、網戸ＮＴの網の掃除やスライド式ガラス戸サッシ用換気フィルタ１００の掃除の手間を軽減でき、ガラス戸ＧＤをスライドするだけでスライド式ガラス戸サッシ用換気フィルタ１００を簡単に着脱することができ、室内側からスライド式ガラス戸サッシ用換気フィルタ１００を取り外す際にうっかり室外側へ倒してしまうことを回避することができる。
【００２６】
さらに、フレーム部１１０が、フレーム部１１０の内側に組子１１４を有し、粘着層部分１２２が、フィルタ本体部分１２１の片側面における組子１１４と対向する位置にも設けられ、粘着層部分１２２が、フレーム部１１０の組子１１４にも粘着してフィルタ部１２０が、フレーム部１１０の内側に張られている構成であることにより、風が強い場合であってもフィルタ部１２０のばたつきを防止して空気中から除去した粉塵やウイルスが再び舞ってしまうことを防止することができ、スライド式ガラス戸サッシ用換気フィルタ１００を外れにくくしてスライド式ガラス戸サッシ用換気フィルタ１００の位置および姿勢を安定させることができるなど、その効果は甚大である。
【実施例２】
【００２７】
続いて、本考案の第２実施例であるスライド式ガラス戸サッシ用換気フィルタ２００について、図４に基づいて説明する。
ここで、図４は、本考案の第２実施例であるスライド式ガラス戸サッシ用換気フィルタ２００を示す図である。
第２実施例のスライド式ガラス戸サッシ用換気フィルタ２００は、第１実施例のスライド式ガラス戸サッシ用換気フィルタ１００のフレーム部１１０をスライド式にして鉛直方向に伸縮自在な構成としたものであり、多くの要素について第１実施例のスライド式ガラス戸サッシ用換気フィルタ１００と共通するので、共通する事項については詳しい説明を省略し、下２桁が共通する２００番台の符号を付すのみとする。
【００２８】
本考案の第２実施例であるスライド式ガラス戸サッシ用換気フィルタ２００は、図４に示すように、フレーム部２１０と、フィルタ部２２０とを備えている。
さらに、フレーム部２１０が、第１フレーム２１５と、第１フレーム２１５と鉛直方向にスライド自在に係合した第２フレーム２１６とを有している。
スライド機構の一例として、第１フレーム２１５が、一対の係合ガイド部２１５ａを有している。
一対の係合ガイド部２１５ａは、第２フレーム２１６における鉛直方向に対する両側とスライド自在に係合している。
【００２９】
さらに、フィルタ部２２０が、第１フレーム２１５の内側および第２フレーム２１６の内側にそれぞれ張られている構成である。
これにより、第２フレーム２１６が第１フレーム２１５に対して鉛直方向にスライドするとフレーム部２１０の全体の高さが変わる。
その結果、スライド式ガラス戸サッシＳＳの下枠ＦＲ１と上枠との間の長さに合わせてガラス戸ＧＤを開けた範囲にスライド式ガラス戸サッシ用換気フィルタ２００を簡単にフィットさせることができる。
【００３０】
なお、一対の係合ガイド部２１５ａは、第２フレーム２１６を挟むように適度な圧力をかけ、一対の係合ガイド部２１５ａと、第２フレーム２１６との間に摩擦力を発生させている。
これにより、第１フレーム２１５の自重によってフレーム部２１０が鉛直方向に縮むことなく、鉛直方向の高さが維持される。
特に、第１実施例のフレーム部１１０の組子１１４と同様に、第１フレーム２１５および第２フレーム２１６に組子を設けることにより、一対の係合ガイド部２１５ａと、第２フレーム２１６との間に発生する摩擦力を適度な大きさにすることができる。
【００３１】
さらに、上側の第１フレーム２１５の幅が下側の第２フレーム２１６の幅より僅かに広く形成されている。
これにより、上側の第１フレーム２１５が、スライド式ガラス戸サッシＳＳのたて枠ＦＲ２と、ガラス戸ＧＤのたて框ＧＤ１とによって隙間無く直接挟まれる。
その結果、上側の第１フレーム２１５の自重が、スライド機構の一例である一対の係合ガイド部２１５ａと第２フレーム２１６における鉛直方向に対する両側との間に作用する大きさを低減することができ、第１フレーム２１５の自重によってフレーム部２１０が鉛直方向に縮むことなく、鉛直方向の高さをより確実に維持することができる。
なお、本実施例では、第１フレーム２１５および第２フレーム２１６が互いに鉛直方向にスライド自在な構成について説明したが、第１フレーム２１５および第２フレーム２１６が互いに水平方向（横方向）にスライド自在な構成としてもよい。
これにより、ガラス戸ＧＤの開き幅であるガラス戸ＧＤのたて框と、スライド式ガラス戸サッシＳＳのたて枠ＦＲ２との間の距離に合わせてスライド式ガラス戸サッシ用換気フィルタ２００の幅を調整して設置することができ、通気する風の量を調整することができる。
【００３２】
このようにして得られた本考案の第２実施例であるスライド式ガラス戸サッシ用換気フィルタ２００は、フレーム部２１０が、第１フレーム２１５と、第１フレーム２１５と鉛直方向にスライド自在に係合した第２フレーム２１６とを有し、フィルタ部２２０が、第１フレーム２１５の内側および第２フレーム２１６の内側にそれぞれ張られている構成であることにより、スライド式ガラス戸サッシＳＳの下枠ＦＲ１と上枠との間の長さに合わせてガラス戸ＧＤを開けた範囲にスライド式ガラス戸サッシ用換気フィルタ２００を簡単にフィットさせることができるなど、その効果は甚大である。
【符号の説明】
【００３３】
１００、２００  ・・・  スライド式ガラス戸サッシ用換気フィルタ
１１０、２１０  ・・・  フレーム部
１１１          ・・・  下側部分
１１２          ・・・  一方側部分
１１３          ・・・  他方側部分
１１４          ・・・  組子
２１５  ・・・  第１フレーム
２１５ａ・・・  係合ガイド部
２１６  ・・・  第２フレーム
１２０、２２０  ・・・  フィルタ部
１２１          ・・・  フィルタ本体部分
１２２          ・・・  粘着層部分
ＳＳ            ・・・  スライド式ガラス戸サッシ
ＦＲ            ・・・  枠
ＦＲ１          ・・・  下枠
ＦＲ２          ・・・  たて枠
ＧＤ            ・・・  ガラス戸
ＧＤ１          ・・・  たて框
ＮＴ            ・・・  網戸
【図１】
0003227779.tif 000003
【図２】
0003227779.tif 000004
【図３】
0003227779.tif 000005
【図４】
0003227779.tif 000006